(57)【要約】【課題】入力操作の有効性を確認するための確認入力を入力する際、惰性やキーの連打などにより、誤って確認入力を入力してしまう危険性を極めて少なくする。【解決手段】操作者が入力部２を用いて行った入力操作が入力操作検出手段１１で検出されると、問題出力手段１２は、上記入力操作を有効にするための確認入力において入力すべきデータを答えとする問題を、表示部３に表示する。表示部３に表示する問題は、例えば、計算問題、クイズ、パズル、漢字の読み取り問題などである。また、その難易度は、入力操作の重要度に応じたもの、あるいは入力操作の重要度と前回の解答時間とに応じたものにすることができる。操作者は、自身が行った入力操作を有効にする場合、問題に対する解答を確認入力として入力部２から入力する。判定手段１３は、入力部２から確認入力として上記問題の正解が入力された場合、上記入力操作が有効であると判定する。【選択図】図１
2008152515.tif 000002
【特許請求の範囲】
【請求項１】
入力部と、
出力部と、
前記入力部で行われた入力操作を検出する入力操作検出手段と、
該入力操作検出手段で検出された入力操作を有効にするための確認入力において入力すべきデータを答えとする問題を、前記出力部に出力する問題出力手段と、
前記入力部から確認入力として前記問題の正解が入力された場合、前記入力操作が有効であると判定する判定手段とを備えたことを特徴とする誤操作予防システム。
【請求項２】
請求項１記載の誤操作予防システムにおいて、
前記問題出力手段が、前記入力操作検出手段で検出された入力操作が確認入力を必要とするものである場合、前記問題を前記出力部に出力することを特徴とする誤操作予防システム。
【請求項３】
請求項２記載の誤操作予防システムにおいて、
前記問題出力手段が、前記入力操作の重要度に応じた難易度の問題を出力することを特徴とする誤操作予防システム。
【請求項４】
請求項２記載の誤操作予防システムにおいて、
前記問題出力手段が、前記入力操作の重要度と、前回前記入力操作と同じ重要度の入力操作が行われたときに前記出力部に出力した問題に対する解答時間とに応じた難易度の問題を出力することを特徴とする誤操作予防システム。
【請求項５】
請求項１乃至４の何れか１項に記載の誤操作予防システムにおいて、
前記問題出力手段が、前記問題に加えて該問題に対する解答の選択肢を出力することを特徴とする誤操作予防システム。
【請求項６】
請求項１乃至５の何れか１項に記載の誤操作予防システムにおいて、
前記問題が、演算問題、クイズ、パズルまたは漢字の読み取り問題であることを特徴とする誤操作予防システム。
【請求項７】
請求項１乃至６の何れか１項に記載の誤操作予防システムにおいて、
前記出力部が表示部であることを特徴とする誤操作予防システム。
【請求項８】
請求項１乃至６の何れか１項に記載の誤操作予防システムにおいて、
前記出力部が音声出力部であることを特徴とする誤操作予防システム。
【請求項９】
請求項１乃至８の何れか１項に記載の誤操作予防システムにおいて、
前記入力部および前記出力部と、前記入力操作検出手段および前記判定手段と、前記問題出力手段とが、それぞれネットワークを介して接続された第１、第２及び第３の端末装置に分散して配置されていることを特徴とする誤操作予防システム。
【請求項１０】
入力部と、
出力部と、
前記入力部で行われた入力操作を検出する入力操作検出手段と、
該入力操作検出手段で検出された入力操作を有効にするための確認入力において入力すべきデータを答えとする問題を、前記出力部に出力する問題出力手段と、
前記入力部から確認入力として前記問題の正解が入力された場合、前記入力操作が有効であると判定する判定手段とを備えたことを特徴とする端末装置。
【請求項１１】
請求項１０記載の端末装置において、
前記問題出力手段が、前記入力操作検出手段で検出された入力操作が確認入力を必要とするものである場合、前記問題を前記出力部に出力することを特徴とする端末装置。
【請求項１２】
請求項１１記載の端末装置において、
前記問題出力手段が、前記入力操作の重要度に応じた難易度の問題を出力することを特徴とする端末装置。
【請求項１３】
請求項１１記載の端末装置において、
前記問題出力手段が、前記入力操作の重要度と、前回前記入力操作と同じ重要度の入力操作が行われたときに前記出力部に出力した問題に対する解答時間とに応じた難易度の問題を出力することを特徴とする端末装置。
【請求項１４】
入力部で行われた入力操作を検出する入力操作検出手段と、
入力操作検出手段で検出された入力操作を有効にするための確認入力において入力すべきデータを答えとする問題の正解が確認入力として前記入力部から入力された場合、前記入力操作が有効であると判定する判定手段とを備えたことを特徴とする端末装置。
【請求項１５】
入力部で行われた入力操作を有効にするための確認入力において入力すべきデータを答えとする問題を、出力部に出力する問題出力手段を備えたことを特徴とする端末装置。
【請求項１６】
コンピュータにより誤操作を予防する誤操作予防方法であって、
前記コンピュータが、入力部で行われた入力操作を検出する入力操作検出ステップと、
前記コンピュータが、前記入力操作検出ステップで検出された入力操作を有効にするための確認入力において入力すべきデータを答えとする問題を、出力部に出力する問題出力ステップと、
前記コンピュータが、前記入力部から確認入力として前記問題の正解が入力された場合、前記入力操作が有効であると判定する判定ステップとを含むことを特徴とする誤操作予防方法。
【請求項１７】
請求項１６記載の誤操作予防方法において、
前記問題出力ステップでは、前記入力操作検出ステップで検出された入力操作が確認入力を必要とするものである場合、前記問題を前記出力部に出力することを特徴とする誤操作予防方法。
【請求項１８】
請求項１７記載の誤操作予防方法において、
前記問題出力ステップでは、前記入力操作の重要度に応じた難易度の問題を出力することを特徴とする誤操作予防方法。
【請求項１９】
請求項１７記載の誤操作予防方法において、
前記問題出力ステップでは、前記入力操作の重要度と、前回前記入力操作と同じ重要度の入力操作が行われたときに前記出力部に出力した問題に対する解答時間とに応じた難易度の問題を出力することを特徴とする誤操作予防方法。
【請求項２０】
コンピュータに、
入力部で行われた入力操作を検出する入力操作検出ステップと、
前記入力操作検出ステップで検出された入力操作を有効にするための確認入力において入力すべきデータを答えとする問題を、出力部に出力する問題出力ステップと、
前記入力部から確認入力として前記問題の正解が入力された場合、前記入力操作が有効であると判定する判定ステップとを実行させるためのプログラム。
【請求項２１】
請求項２０記載のプログラムにおいて、
前記問題出力ステップでは、前記入力操作検出ステップで検出された入力操作が確認入力を必要とするものである場合、前記問題を前記出力部に出力することを特徴とするプログラム。
【請求項２２】
請求項２１記載のプログラムにおいて、
前記問題出力ステップでは、前記入力操作の重要度に応じた難易度の問題を出力することを特徴とするプログラム。
【請求項２３】
請求項２１記載のプログラムにおいて、
前記問題出力ステップでは、前記入力操作の重要度と、前回前記入力操作と同じ重要度の入力操作が行われたときに前記出力部に出力した問題に対する解答時間とに応じた難易度の問題を出力することを特徴とするプログラム。
【発明の詳細な説明】
【技術分野】
【０００１】
本発明は、コンピュータにおいて誤った入力操作により損失が発生するのを予防する誤操作予防技術に関し、特に、操作者に入力操作の有効性を確認させる際、簡単な問題を解かせるようにした誤操作予防方法に関する。
【背景技術】
【０００２】
操作者がコンピュータに対して承認処理や削除処理といった重要な処理を行わせるための入力操作を行った場合、確認ウィンドウを表示し、操作者に入力操作の有効性を確認させるということが従来から行われている。確認ウィンドウには、入力操作の有効性を確認させるためのメッセージ文とＯＫボタンとが含まれており、操作者は、メッセージ文を読んで自身が行った入力操作の有効性を確認すると、ＯＫボタンをクリックすることによりコンピュータに対して確認入力を入力し、コンピュータは、確認入力が入力されると、操作者が行った入力操作に従った処理を実行する。
【０００３】
このように、操作者に入力操作の有効性を確認させ、その後、入力操作に従った処理を実行するようにすることにより、誤って承認処理や削除処理などが実行されてしまうという危険性を少なくすることが可能になる。しかし、メッセージ文及びＯＫボタンを含んだ確認ウィンドウを表示させる上記した方法では、操作者が他操作からの惰性や不注意によりＯＫボタンをクリックしてしまう危険性が高いという問題があった。
【０００４】
そこで、このような問題点を解決するため、従来から次のような技術が提案されている（例えば、特許文献１参照）。
【０００５】
この特許文献１に記載されている従来の技術では、図１６（Ａ）に示すように、操作者がＣＲＴ画面ＤＰ上で入力操作を行うと、同図（Ｂ）に示すように、ＣＲＴ画面ＤＰ上に第１の確認ウィンドウＷ１が表示される。この第１の確認ウィンドウＷ１には、操作者に対して入力操作の有効性を確認させるためのメッセージ文が含まれている。
【０００６】
第１の確認ウィンドウＷ１の表示は予め定められた時間（操作者がメッセージ文を読むために必要になる時間）だけ続き、その後、同図（Ｃ）に示すように第２の確認ウィンドウＷ２が表示される。第２の確認ウィンドウＷ２は、メッセージ文と確認フィールド（ＯＫボタン）ＣＦとが含まれている。
【０００７】
第２の確認ウィンドウＷ２が表示されると、操作者は、同図（Ａ）において行った入力操作を有効にする場合は確認フィールドをクリックすることにより確認入力を入力する。これにより、同図（Ｄ）に示すように、第２の確認ウィンドウＷ２が消去され、確認作業が終わる。
【０００８】
【特許文献１】特開２０００−５６８８７号公報
【発明の開示】
【発明が解決しようとする課題】
【０００９】
特許文献１に記載されている従来の技術は、ＯＫボタンを含む第２の確認ウィンドウＷ２を表示する前に、メッセージ文だけを含んだ第１の確認ウィンドウＷ１を一定時間表示するようにしているので、操作者が惰性や不注意によりＯＫボタンをクリックし、誤った確認入力を入力してしまう危険性を多少は少なくすることができる。しかし、特許文献１に記載されている従来の技術は、メッセージ文を読むために一定の時間が経過することを保障するのみであるため、操作者が惰性により誤って確認入力を入力してしまう危険性を十分には小さくすることができない。
【００１０】
そこで、本発明の目的は、操作者が惰性や不注意により誤って確認入力を入力してしまう危険性を極めて少なくすることにある。
【課題を解決するための手段】
【００１１】
本発明にかかる第１の誤操作予防システムは、
入力部と、
出力部と、
前記入力部で行われた入力操作を検出する入力操作検出手段と、
該入力操作検出手段で検出された入力操作を有効にするための確認入力において入力すべきデータを答えとする問題を、前記出力部に出力する問題出力手段と、
前記入力部から確認入力として前記問題の正解が入力された場合、前記入力操作が有効であると判定する判定手段とを備えたことを特徴とする。
【００１２】
本発明にかかる第２の誤操作予防システムは、第１の誤操作予防システムにおいて、
前記問題出力手段が、前記入力操作検出手段で検出された入力操作が確認入力を必要とするものである場合、前記問題を前記出力部に出力することを特徴とする。
【００１３】
本発明にかかる第３の誤操作予防システムは、第２の誤操作予防システムにおいて、
前記問題出力手段が、前記入力操作の重要度に応じた難易度の問題を出力することを特徴とする。
【００１４】
本発明にかかる第４の誤操作予防システムは、第２の誤操作予防システムにおいて、
前記問題出力手段が、前記入力操作の重要度と、前回前記入力操作と同じ重要度の入力操作が行われたときに前記出力部に出力した問題に対する解答時間とに応じた難易度の問題を出力することを特徴とする。
【００１５】
本発明にかかる第５の誤操作予防システムは、第１〜第４の何れかの誤操作予防システムにおいて、
前記問題出力手段が、前記問題に加えて該問題に対する解答の選択肢を出力することを特徴とする。
【００１６】
本発明にかかる第６の誤操作予防システムは、第１〜第５の何れかの誤操作予防システムにおいて、
前記問題が、演算問題、クイズ、パズルまたは漢字の読み取り問題であることを特徴とする。
【００１７】
本発明にかかる第７の誤操作予防システムは、第１〜第６の何れかの誤操作予防システムにおいて、
前記出力部が表示部であることを特徴とする。
【００１８】
本発明にかかる第８の誤操作予防システムは、第１〜第６の何れかの誤操作予防システムにおいて、
前記出力部が音声出力部であることを特徴とする。
【００１９】
本発明にかかる第９の誤操作予防システムは、第１〜第８の何れかの誤操作予防システムにおいて、
前記入力部および前記出力部と、前記入力操作検出手段および前記判定手段と、前記問題出力手段とが、それぞれネットワークを介して接続された第１、第２及び第３の端末装置に分散して配置されていることを特徴とする。
【００２０】
本発明にかかる第１の端末装置は、
入力部と、
出力部と、
前記入力部で行われた入力操作を検出する入力操作検出手段と、
該入力操作検出手段で検出された入力操作を有効にするための確認入力において入力すべきデータを答えとする問題を、前記出力部に出力する問題出力手段と、
前記入力部から確認入力として前記問題の正解が入力された場合、前記入力操作が有効であると判定する判定手段とを備えたことを特徴とする。
【００２１】
本発明にかかる第２の端末装置は、第１の端末装置において、
前記問題出力手段が、前記入力操作検出手段で検出された入力操作が確認入力を必要とするものである場合、前記問題を前記出力部に出力することを特徴とする。
【００２２】
本発明にかかる第３の端末装置は、第２の端末装置において、
前記問題出力手段が、前記入力操作の重要度に応じた難易度の問題を出力することを特徴とする。
【００２３】
本発明にかかる第４の端末装置は、第２の端末装置において、
前記問題出力手段が、前記入力操作の重要度と、前回前記入力操作と同じ重要度の入力操作が行われたときに前記出力部に出力した問題に対する解答時間とに応じた難易度の問題を出力することを特徴とする。
【００２４】
本発明にかかる第５の端末装置は、
入力部で行われた入力操作を検出する入力操作検出手段と、
入力操作検出手段で検出された入力操作を有効にするための確認入力において入力すべきデータを答えとする問題の正解が確認入力として前記入力部から入力された場合、前記入力操作が有効であると判定する判定手段とを備えたことを特徴とする。
【００２５】
本発明にかかる第６の端末装置は、
入力部で行われた入力操作を有効にするための確認入力において入力すべきデータを答えとする問題を、出力部に出力する問題出力手段を備えたことを特徴とする。
【００２６】
本発明にかかる第１の誤操作予防方法は、
コンピュータにより誤操作を予防する誤操作予防方法であって、
前記コンピュータが、入力部で行われた入力操作を検出する入力操作検出ステップと、
前記コンピュータが、前記入力操作検出ステップで検出された入力操作を有効にするための確認入力において入力すべきデータを答えとする問題を、出力部に出力する問題出力ステップと、
前記コンピュータが、前記入力部から確認入力として前記問題の正解が入力された場合、前記入力操作が有効であると判定する判定ステップとを含むことを特徴とする。
【００２７】
本発明にかかる第２の誤操作予防方法は、第１の誤操作予防方法において、
前記問題出力ステップでは、前記入力操作検出ステップで検出された入力操作が確認入力を必要とするものである場合、前記問題を前記出力部に出力することを特徴とする。
【００２８】
本発明にかかる第３の誤操作予防方法は、第２の誤操作予防方法において、
前記問題出力ステップでは、前記入力操作の重要度に応じた難易度の問題を出力することを特徴とする。
【００２９】
本発明にかかる第４の誤操作予防方法は、第２の誤操作予防方法において、
前記問題出力ステップでは、前記入力操作の重要度と、前回前記入力操作と同じ重要度の入力操作が行われたときに前記出力部に出力した問題に対する解答時間とに応じた難易度の問題を出力することを特徴とする。
【００３０】
本発明にかかる第１のプログラムは、
コンピュータに、
入力部で行われた入力操作を検出する入力操作検出ステップと、
前記入力操作検出ステップで検出された入力操作を有効にするための確認入力において入力すべきデータを答えとする問題を、出力部に出力する問題出力ステップと、
前記入力部から確認入力として前記問題の正解が入力された場合、前記入力操作が有効であると判定する判定ステップとを実行させる。
【００３１】
本発明にかかる第２のプログラムは、第１のプログラムにおいて、
前記問題出力ステップでは、前記入力操作検出ステップで検出された入力操作が確認入力を必要とするものである場合、前記問題を前記出力部に出力することを特徴とする。
【００３２】
本発明にかかる第３のプログラムは、第２のプログラムにおいて、
前記問題出力ステップでは、前記入力操作の重要度に応じた難易度の問題を出力することを特徴とする。
【００３３】
本発明にかかる第４のプログラムは、第２のプログラムにおいて、
前記問題出力ステップでは、前記入力操作の重要度と、前回前記入力操作と同じ重要度の入力操作が行われたときに前記出力部に出力した問題に対する解答時間とに応じた難易度の問題を出力することを特徴とする。
【００３４】
〔作用〕
操作者が入力部を用いて行った入力操作が入力操作検出手段で検出されると、問題出力手段は、上記入力操作を有効にするための確認入力において入力すべきデータを答えとする問題を、出力部に出力する。出力部に出力する問題は、例えば、計算問題、クイズ、パズル、漢字の読み取り問題などである。また、その難易度は、入力操作の重要度に応じたもの、あるいは入力操作の重要度と前回の解答時間とに応じたものにすることができる。操作者は、自身が行った入力操作を有効にする場合、問題出力手段によって提示された問題に対する解答を確認入力として入力部から入力する。判定手段は、入力部から確認入力として上記問題の正解が入力された場合、上記入力操作が有効であると判定する。
【発明の効果】
【００３５】
本発明によれば、操作者が惰性により誤って確認入力を入力してしまう危険性を極めて少なくすることができる。その理由は、入力部で行われた入力操作を有効にするための確認入力において入力すべきデータを答えとする問題を、出力部に出力する問題出力手段と、入力部から確認入力として上記問題の正解が入力された場合、上記入力操作が有効であると判定する判定手段とを備えているからである。
【発明を実施するための最良の形態】
【００３６】
次に、本発明を実施するための最良の形態について図面を参照して詳細に説明する。
【００３７】
〔発明の第１の実施の形態〕
図１を参照すると、本発明にかかる誤操作予防システムの第１の実施の形態は、端末装置１と、キーボード、マウス等の入力部２と、ＬＣＤ等の表示部３とから構成されている。
【００３８】
端末装置１は、パーソナルコンピュータやＣＰＵ（コンピュータ）を備えた携帯電話機などによって実現されるものであり、入力操作検出手段１１と、問題出力手段１２と、判定手段１３と、記憶装置１４とから構成されている。
【００３９】
記憶装置１４は、検出結果記憶部１４１と、正解記憶部１４２とを備えている。
【００４０】
入力操作検出手段１１は、入力部２で行われた入力操作を検出し、検出した入力操作の内容（入力操作内容）を検出結果記憶部１４１に格納する機能を有する。
【００４１】
問題出力手段１２は、入力操作検出手段１１で検出された入力操作の有効性を操作者に確認させるための問題（例えば、四則演算、クイズ、パズルなど）を表示部３に表示すると共に、上記問題の正解を正解記憶部１４２に格納する機能を有する。
【００４２】
判定手段１３は、入力部２から確認入力として入力された解答と、正解記憶部１４２に格納されている正解とが一致するか否かを調べ、両者が一致する場合のみ、検出結果記憶部１４１に格納されている入力操作内容によって示される入力操作が有効であると判定する機能を有する。
【００４３】
端末装置１は、上述したように、コンピュータにより実現可能であり、コンピュータにより実現する場合は、例えば、次のようにする。コンピュータを端末装置１として機能させるためのプログラムを記録したディスク、半導体メモリ、その他の記録媒体を用意し、コンピュータに上記プログラムを読み取らせる。コンピュータは、読み取ったプログラムに従って自身の動作を制御することにより、自コンピュータ上に、入力操作検出手段１１、問題出力手段１２、及び判定手段１３を実現する。
【００４４】
〔第１の実施の形態の動作の説明〕
次に、本実施の形態の動作について詳細に説明する。
【００４５】
端末装置１内の入力操作検出手段１１は、操作者が入力部２で行った入力操作を検出すると（図２のステップＳ２１がＹＥＳ）、検出した入力操作の内容を検出結果記憶部１４１に格納すると共に、問題出力手段１２に対して入力操作を検出したことを通知する（ステップＳ２２、Ｓ２３）。
【００４６】
問題出力手段１２は、入力操作検出部１１から通知を受けると、必要に応じて表示部３に問題を表示すると共に、正解記憶部１４２に上記問題の正解を格納し（図３のステップＳ３１、Ｓ３２）、その後、判定手段１３に対して問題を出力したことを通知する（ステップＳ３３）。
【００４７】
判定手段１３は、問題出力部１２から通知を受けると、図４のフローチャートに示すように、入力部２から問題の解答あるいは入力操作を無効にする旨の指示が入力されるのを待つ（ステップＳ４１、Ｓ４２）。一方、操作者は、表示部３に問題が表示されると、自身が行った入力操作を有効にする場合には、上記問題の解答を自身が行った入力操作を有効にするための確認入力として入力部２から入力する。また、自身が行った入力操作を無効にする場合は、その旨の指示を入力部２から入力する。
【００４８】
判定手段１３は、入力部２から解答が入力された場合（ステップＳ４１がＹＥＳ）は、正解記憶部１４２に格納されている正解と比較することにより、入力部２から入力された解答が正解であるか否かを判定する（ステップＳ４３）。そして、正解であった場合（ステップＳ４３がＹＥＳ）は、検出結果記憶部１４１に格納されている入力操作内容によって示される入力操作を有効にし、端末装置１に上記入力処理に従った処理を実行させる（ステップＳ４４）。これに対して、正解でなかった場合（ステップＳ４３がＮＯ）は、表示部３に解答の再入力を要求するメッセージを表示し（ステップＳ４５）、その後、再びステップＳ４１の処理に戻る。
【００４９】
これに対して、入力部２から入力操作を無効にする旨の指示が入力された場合（ステップＳ４２がＹＥＳ）は、検出結果記憶部１４１に格納されている入力操作内容によって示される入力操作を無効にする（ステップＳ４６）。
【００５０】
〔第１の実施の形態の効果〕
本実施の形態によれば、操作者が惰性や不注意により誤って確認入力を入力してしまう危険性を極めて少なくすることができる。その理由は、入力部２で行われた入力操作を有効にするための確認入力において入力すべきデータを答えとする問題を、出力部３に出力する問題出力手段１２と、入力部２から確認入力として上記問題の正解が入力された場合、上記入力操作が有効であると判定する判定手段１３とを備えているからである。
【００５１】
〔第１の実施の形態の第１の実施例〕
次に、第１の実施の形態の第１の実施例について説明する。本実施例は、操作者が行った入力操作の重要度に応じた難易度の計算問題を含む確認ウィンドウを表示することにより、操作者が行った入力操作の重要性を定量的且つ効果的に操作者に認識させるようにしたことを特徴とする。
【００５２】
図５は第１の実施の形態の第１の実施例の構成例を示すブロック図であり、本実施例の端末装置１ａは、入力操作検出手段１１と、問題出力手段１２ａと、判定手段１３と、記憶装置１４とを備えている。問題出力手段１２ａは、確認入力要否判定手段１２１と、重要度判定手段１２２と、計算問題作成手段１２３と、確認ウィンドウ表示手段１２４とを備えている。なお、図５において図１と同一符号は同一部分を表している。
【００５３】
確認入力要否判定手段１２１は、検出結果記憶部１４１に格納されている入力操作内容によって示される入力操作が、その入力操作を有効にするために、操作者からの確認入力を必要とするものであるか否かを判定する機能を有する。この判定は、例えば、確認入力が必要となる入力操作内容の一覧が記録されたテーブルなどを利用することにより行うことができる。
【００５４】
重要度判定手段１２２は、確認入力要否判定手段１２１で確認入力が必要であると判定された入力操作の重要度を判定する機能を有する。この判定は、例えば、確認入力が必要となる入力操作毎に、その重要度を格納したテーブルなどを利用することにより行うことができる。
【００５５】
計算問題作成手段１２３は、重要度判定手段１２２で判定された重要度に応じた難易度の計算問題を作成すると共に、作成した計算問題の正解を正解記憶部１４２に格納する機能を有する。重要度に応じた難易度の計算問題は、例えば、重要度に応じた桁数の乱数を複数個生成し、生成した乱数と予め定められている演算子（＋、−等）とを組み合わせることにより作成することができる。重要度に応じた問題の作成方法は、これに限られるものではなく、重要度毎に複数の問題を格納した問題記憶部を用意しておき、重要度判定手段１２２で判定された重要度に対応付けて格納されている問題の内の１つを選択する方法なども採用することができる。
【００５６】
確認ウィンドウ表示手段１２４は、計算問題作成手段１２３で作成された計算問題と、操作者に入力操作の有効性を確認するためのメッセージ文とを含んだ確認ウィンドウを表示部３に表示する機能を有すると共に、計算問題を表示したことを判定手段１３に通知する機能を有する。
【００５７】
〔第１の実施の形態の第１の実施例の動作の説明〕
次に、本実施例の動作について説明する。なお、問題出力手段１２ａ以外の動作は、前述した第１の実施の形態と同様であるので、ここでは、問題出力手段１２ａの動作についてのみ説明する。
【００５８】
問題出力手段１２ａ内の確認入力要否判定手段１２１は、入力操作検出手段１１から通知を受けると、図６のフローチャートに示すように、検出結果記憶部１４１に格納されている入力操作内容によって示される入力操作を有効にするためには、操作者からの確認入力が必要であるか否かを判定する（ステップＳ６１）。
【００５９】
そして、確認入力要否判定手段１２１によって確認入力が不要であると判定された場合（ステップＳ６１がＮＯ）は、問題出力手段１２ａは、その処理を終了する。
【００６０】
これに対して、確認入力要否判定手段１２１によって確認入力が必要であると判定された場合（ステップＳ６１がＹＥＳ）は、重要度判定手段１２２が、検出結果記憶部１４１に格納されている入力操作内容によって示される入力操作の重要度を判定し、その重要度を計算問題作成手段１２３に通知する（ステップＳ６２）。
【００６１】
計算問題作成手段１２３は、通知された重要度に応じた難易度の計算問題を作成して確認ウィンドウ表示手段１２４に渡すと共に、上記計算問題の正解を正解記憶部１４２に格納する（ステップＳ６３、Ｓ６４）。
【００６２】
確認ウィンドウ表示手段１２４は、計算問題作成手段１２３から計算問題が渡されると、図７に示すような確認ウィンドウ７１を表示部３に表示すると共に、問題を出力したことを判定手段１３に通知する（ステップＳ６５、Ｓ６６）。
【００６３】
図７に示す確認ウィンドウ７１には、操作者に対して入力操作の有効性を確認させるためのメッセージ文７２と、計算問題作成手段１２３で作成された計算問題７３と、解答の入力欄７４と、ＯＫボタン７５と、キャンセルボタン７６とが含まれている。操作者は、メッセージ文７２を読み、自身が行った入力操作を有効にする場合には、計算問題７３の解答を入力欄７４に入力し、ＯＫボタン７５をクリックする。これに対して、入力操作を無効にする場合は、キャンセルボタン７６をクリックする。なお、図７に示した確認ウィンドウ７１はあくまで一例であり、例えば、入力欄７４の代わりに、計算問題７３に対する解答の選択肢を含むものであっても構わない。
【００６４】
〔第１の実施の形態の第１の実施例の効果〕
本実施例によれば、操作者に自身が行った入力操作の重要度がどの程度なのかを認識させることができるので、確認入力の入力時、操作者に十分な注意を払わせることが可能になる。その理由は、入力操作の重要度に応じた難易度の問題を出力する問題出力手段１２ａを備えているからである。
【００６５】
〔第１の実施の形態の第２の実施例〕
次に、第１の実施の形態の第２の実施例について説明する。本実施例は、確認ウィンドウに組み込む計算問題の難易度を、操作者が行った入力操作の重要度だけでなく、前回確認ウィンドウをユーザに提示した際の解答時間も考慮して決定するようにしたことを特徴とする。
【００６６】
図８は第１の実施の形態の第２の実施例の構成例を示すブロック図であり、本実施例の端末装置１ｂは、入力操作検出手段１１と、問題出力手段１２ｂと、判定手段１３ｂと、記憶装置１４ｂとを備えている。なお、図８において、図１及び図５と同一符号は同一部分を表している。
【００６７】
記憶装置１４ｂは、表示時刻記憶部１４３及び解答時間記憶部１４４が追加されている点が図１及び図５に示した記憶装置１４と相違している。
【００６８】
表示時刻記憶部１４３には、確認ウィンドウを表示した時刻と、確認ウィンドウにより有効性を確認しようとしている入力操作の重要度とが格納される。
【００６９】
解答時間記憶部１４４には、入力操作の重要度毎に、その重要度に対して予め定められている標準解答時間と、その重要度の計算問題に対する前回の解答時間と、標準解答時間と前回の解答時間との差分時間とが登録されている。図９は、解答時間記憶部１４４の内容例を示す図であり、同図の例は、重要度「１」、「２」、…について予め定められている標準解答時間が「Ｈ１」、「Ｈ２」、…で、前回の解答時間が「Ｔ１」、「Ｙ２」、…で、差分時間が「ΔＴ１」、「ΔＴ２」、…であることを示している。なお、初期状態においては、各重要度の差分時間として、「０」が格納されている。
【００７０】
問題出力手段１２ｂは、計算問題作成手段１２３及び確認ウィンドウ表示手段１２４の代わりに計算問題作成手段１２３ｂ及び確認ウィンドウ表示手段１２４ｂを備えている点が図５に示した問題出力手段１２ａと相違している。
【００７１】
計算問題作成手段１２３ｂは、重要度判定手段１２２で判定された重要度だけでなく、解答時間記憶部１４４に格納されている差分時間も考慮した難易度の計算問題を作成する機能を有する。
【００７２】
確認ウィンドウ表示手段１２４ｂは、図５の確認ウィンドウ表示部１２４が備えている機能に加え、確認ウィンドウの表示時刻と、重要度判定手段１２２が判定した重要度とを表示時刻記憶部１４３に格納する機能を有している。
【００７３】
判定手段１３ｂは、解答確認手段１３１と、解答時間更新手段１３２とを備えている。
【００７４】
解答確認手段１３１は、入力部２から確認入力として解答が入力されたときの時刻（応答時刻）を図示を省略した時計から取得する機能と、上記解答と正解記憶部１４２に格納されている正解とが一致する場合、検出結果記憶部１４１に格納されている入力操作内容によって示される入力操作を有効にすると共に、上記応答時刻を解答時間更新手段１３２に通知する機能を有する。
【００７５】
解答時間更新手段１３２は、解答確認手段１３１から渡された応答時刻と、表示時刻記憶部１４３に格納されている確認ウィンドウの表示時刻とに基づいて、操作者が正解を入力するまでに要した解答時間（＝応答時刻−表示時刻）を算出する機能や、算出した解答時間と該当する重要度の標準解答時間との差分時間ΔＴ（＝解答時間−標準解答時間）を算出する機能や、解答時間記憶部１４４に格納されている各重要度毎の解答時間及び差分時間の内の、表示時刻記憶部１４３に格納されている重要度に対応する解答時間及び差分時間を上記算出した解答時間及び差分時間ΔＴに更新する機能を有する。
【００７６】
〔第１の実施の形態の第２の実施例の動作の説明〕
次に、本実施例の動作について説明する。なお、問題出力手段１２ｂ及び判定手段１３ｂ以外の動作は、前述した第１の実施例と同様であるので、ここでは、問題出力手段１２ｂ及び判定手段１３ｂの動作についてのみ説明する。
【００７７】
問題出力手段１２ｂ内の確認入力要否判定手段１２１は、入力操作検出手段１１から通知を受けると、図１０のフローチャートに示すように、検出結果記憶部１４１に格納されている入力操作内容によって示される入力操作を有効にするためには、操作者からの確認入力が必要であるか否かを判定する（ステップＳ６１）。
【００７８】
そして、確認入力要否判定手段１２１によって確認入力が不要であると判定された場合（ステップＳ６１がＮＯ）は、問題出力手段１２ａは、その処理を終了する。
【００７９】
これに対して、確認入力要否判定手段１２１によって確認入力が必要であると判定された場合（ステップＳ６１がＹＥＳ）は、重要度判定手段１２２が、検出結果記憶部１４２に格納されている入力操作内容によって示される入力操作の重要度を判定し、その重要度を計算問題作成手段１２３ｂに通知する（ステップＳ６２）。
【００８０】
これにより、計算問題作成手段１２３ｂは、通知された重要度に対応付けて登録されている差分時間ΔＴを解答時間記憶部１４４から入力し、この差分時間ΔＴと上記重要度とに応じた難易度の計算問題を作成して確認ウィンドウ表示手段１２４ｂに渡すと共に、上記計算問題の正解を正解記憶部１４２に格納する（ステップＳ６３ｂ、Ｓ６４）。
【００８１】
ここで、重要度および差分時間ΔＴに応じた難易度の計算問題は、例えば、次のようにして作成する。差分時間ΔＴが、予め定められている時間ｔ（例えば、１０秒）未満の場合は、即ちΔＴ＜ｔの場合は、重要度に応じた桁数の乱数を複数個生成し、生成した乱数と予め定められている演算子（＋、−等）とを組み合わせることにより計算問題を生成する。差分時間ΔＴがｔ≦ΔＴ＜２ｔの場合は、重要度に応じた桁数よりも１桁少ない乱数を複数個生成し、生成した乱数と予め定められている演算子とを組み合わせることにより計算問題を生成する。差分ΔＴが２ｔ≦ΔＴの場合は、重要度に応じた桁数よりも２桁少ない乱数を複数個生成し、生成した乱数と予め定められている演算子とを組み合わせることにより計算問題を生成する。なお、この方法はあくまで一例であり、重要度と差分時間との組み合わせ毎に複数の問題を格納した問題記憶部を用意しておき、通知された難易度と差分時間との組み合わせに対応付けて格納されている問題の内の１つを選択する方法を採用することもできる。
【００８２】
確認ウィンドウ表示手段１２４ｂは、計算問題作成手段１２３ｂで作成された計算問題を含んだ図７に示すような確認ウィンドウ７１を表示部３に表示すると共に、そのときの時刻（表示時刻）と、重要度判定手段１２２で判定された重要度とを正解記憶部１４２に格納する（ステップＳ６５、Ｓ１０１）。その後、確認ウィンドウ表示手段１２４ｂは、問題を出力したことを判定手段１３ｂに通知する（ステップＳ６６）。
【００８３】
判定手段１３ｂ内の解答確認手段１３１は、確認ウィンドウ表示手段１２４ｂから通知を受けると、図１１のフローチャートに示すように、入力部２から問題の解答あるいは入力操作を無効にする旨の指示が入力されるのを待つ（ステップＳ４１、Ｓ４２）。一方、操作者は、表示部３に問題が表示されると、自身が行った入力操作を有効にする場合には、上記問題の解答を自身が行った入力操作を有効にするための確認入力として入力部２から入力する。また、自身が行った入力操作を無効にする場合は、その旨の指示を入力部２から入力する。
【００８４】
解答確認手段１３１は、入力部２から入力操作を無効にする旨の指示が入力された場合（ステップＳ４２がＹＥＳ）は、検出結果記憶部１４１に格納されている入力操作内容によって示される入力操作を無効にする（ステップＳ４６）。
【００８５】
これに対して、入力部２から解答が入力された場合（ステップＳ４１がＹＥＳ）は、その時の時刻（応答時刻）を時計から取得し（ステップＳ１１１）、その後、入力部２から入力された解答が正解であるか否かを判定する（ステップＳ４３）。そして、不正解であった場合（ステップＳ４３がＮＯ）は、表示部３に解答の再入力を要求するメッセージを表示し（ステップＳ４５）、その後、再びステップＳ４１の処理に戻る。これに対して、正解であった場合（ステップＳ４３がＹＥＳ）は、検出結果記憶部１４１に格納されている入力操作内容によって示される入力操作を有効にすると共に、ステップＳ１１１で取得した応答時刻を解答時間更新手段１３２に通知する（ステップＳ４４、Ｓ１１２）。
【００８６】
解答時間更新手段１３２は、解答確認手段１３１から応答時刻が通知されると、それと表示時刻記憶部１４３に格納されている確認ウィンドウの表示時刻とに基づいて、操作者が正解を入力するまでに要した解答時間（＝応答時刻−表示時刻）を算出すると共に、算出した解答時間と該当する重要度の標準解答時間との差分時間ΔＴ（＝解答時間−標準解答時間）を算出し、解答時間記憶部１４４に格納されている各重要度毎の解答時間及び差分時間ΔＴの内の、表示時刻記憶部１４３に格納されている重要度に対応する解答時間及び差分時間を上記算出した解答時間及び差分時間ΔＴに更新する（ステップＳ１１３）。
【００８７】
〔第１の実施の形態の第２の実施例の効果〕
本実施例によれば、操作者に過度の負担をかけることなく、操作者に自身が行った入力操作の重要度がどの程度なのかを認識させることが可能になる。その理由は、入力操作の重要度と、前回上記入力操作と同じ重要度の入力操作が行われたときに出力部３に出力した問題に対する解答時間とに応じた難易度の問題を出力する問題出力手段１２ｂを備えているからである。
【００８８】
〔発明の第２の実施の形態〕
次に、本発明にかかる誤操作予防システムの第２の実施の形態について説明する。
【００８９】
図１２を参照すると、本実施の形態は、ユーザ端末装置４と、アプリケーション端末装置５と、問題出力端末装置６とから構成され、それらはインターネットなどのネットワークＮＷを介して相互に接続されている。
【００９０】
ユーザ端末装置４は、パーソナルコンピュータ等の情報処理装置であり、処理手段４１と、送受信手段４２と、キーボード等の入力部４３と、ＬＣＤ等の表示部４４とを備えている。
【００９１】
送受信手段４２は、ネットワークＮＷを介してデータ等を送受信する機能を有する。
【００９２】
処理手段４１は、アプリケーション端末装置５が提供するサービスを利用するためにアプリケーション端末５にアクセスする機能や、アプリケーション端末装置５が提供しているアプリケーション画面を表示部４４に表示する機能や、アプリケーション端末装置５によって提供されているサービスを利用している時に操作者が入力部４３を用いて行った入力操作の内容をアプリケーション端末装置５へ送信する機能や、アプリケーション端末装置５から送られてきた確認ウィンドウを表示部４４に表示する機能や、確認ウィンドウに含まれている問題に対して操作者が入力した解答をアプリケーション端末装置５へ送信する機能などを有している。
【００９３】
アプリケーション端末装置５は、ユーザ端末装置４に対してサービスを提供するアプリケーションプログラムが動作しているコンピュータによって実現されるものであり、送受信手段５１と、入力操作検出手段５２と、判定手段５３と、記憶装置５４とを備えている。なお、送受信手段５１、入力操作検出手段５２および判定手段５３は、上記アプリケーションプログラムによって実現されるものである。
【００９４】
記憶装置５４には、検出結果記憶部５５と、正解記憶部５６とが設けられている。
【００９５】
送受信手段５１は、ネットワークＮＷを介してデータ等を送受信する機能を有する。
【００９６】
入力操作検出手段５２は、サービスを提供しているユーザ端末装置４から送られてきた入力操作内容を検出すると、それを検出結果記憶部５５に格納する機能や、上記入力操作内容によって示される入力操作の重要度を含んだ問題作成依頼を問題出力端末装置６へ送信する機能や、問題作成依頼に応答して問題出力端末装置６から問題および正解が送られてきたとき、上記問題を含んだ図７に示すような確認ウィンドウ７１をユーザ端末装置４へ送信すると共に、上記正解を正解記憶部５６に格納する機能などを有している。
【００９７】
判定手段５３は、確認ウィンドウを送信したユーザ端末装置４から送られてきた、上記確認ウィンドウに含まれている問題に対する解答が、正解記憶部５６に格納されている正解と一致するか否かを調べ、一致する場合のみ検出結果記憶部５５に格納されている入力操作内容によって示される入力操作が有効であると判定する機能を有する。
【００９８】
問題出力端末装置６は、重要度に応じた難易度の問題を作成するアプリケーションプログラムが動作しているコンピュータによって実現されるものであり、送受信手段６１と、問題出力手段６２とを備えている。なお、送受信手段６１および問題出力手段６２は、上記アプリケーションプログラムによって実現されるものである。
【００９９】
送受信手段６１は、ネットワークＮＷを介してデータ等を送受信する機能を有する。
【０１００】
問題出力手段６２は、アプリケーション端末装置５から問題作成依頼が送られてきたとき、それに含まれている重要度に応じた難易度の問題を作成して、アプリケーション端末装置５に返却する機能を有する。
【０１０１】
〔第２の実施の形態の動作の説明〕
次に本実施の形態の動作について説明する。
【０１０２】
ユーザ端末装置４の操作者は、アプリケーション端末装置５によって提供されているサービスを利用する場合、アプリケーション端末装置５に対してアクセスする（図１３のステップＡ１）。これにより、アプリケーション端末装置５は、サービスを利用させるためのアプリケーション情報をユーザ端末装置４へ送信し（ステップＡ２）、ユーザ端末装置４内の処理手段４１は、アプリケーション端末装置５から送られてきたアプリケーション情報に応じたアプリケーション画面を表示部４４に表示する（ステップＡ３）。
【０１０３】
ユーザ端末装置４の操作者が、アプリケーション端末装置５が提供しているサービスを利用するために、入力部４３を用いて入力操作を行うと、処理手段４１は、その入力操作の内容をアプリケーション端末装置５へ送信する（ステップＡ４）。ここで、操作者が行う入力操作としては、次ページの表示を要求するための入力操作のように、その入力操作を有効にするために、操作者による確認入力を必要としないものや、承認ボタンのクリック操作のように、その入力操作を有効にするために、操作者による確認入力を必要とするものが含まれる。
【０１０４】
アプリケーション端末装置５内の入力操作検出手段５２は、ユーザ端末装置４から入力操作内容が送られてくると、それを検出結果記憶部５５に格納する。その後、上記入力操作内容によって示される入力操作が、操作者による確認入力を必要とするものか否かを調べ、もし確認入力を必要としないものである場合には、アプリケーション端末装置５に上記入力操作内容に応じた処理を行わせる。これに対して、操作者による確認入力を必要とするものである場合は、上記入力操作内容によって示される入力操作の重要度を判定し、判定した重要度を含んだ問題作成依頼を問題出力端末装置６に対して送信する（ステップＡ５）。
【０１０５】
問題出力端末装置６内の問題出力手段６２は、アプリケーション端末装置５から重要度を含んだ問題作成依頼が送られてくると、上記重要度に応じた難易度の問題を作成し、作成した問題とその正解をアプリケーション端末装置５へ返却する（ステップＡ６）。なお、重要度に応じた難易度の問題は、前述した第１の実施の形態の第１の実施例と同様の方法で作成することができる。
【０１０６】
アプリケーション端末装置５内の入力操作検出手段５２は、問題出力端末装置６から問題及びその正解が送られてくると、その問題を含んだ図７に示すような確認ウィンドウ７１をユーザ端末装置４へ送信すると共に、正解を正解記憶部５６に格納する（ステップＡ７）。
【０１０７】
ユーザ端末装置４内の処理手段４１は、アプリケーション端末装置５から送られてきた確認ウィンドウを表示部４４に表示する（ステップＡ８）。ユーザ端末装置４の操作者は、確認ウィンドウ上の確認メッセージを読み、問題に対する解答を入力し、送受信手段４２は、入力された解答をアプリケーション端末装置５へ送信する（ステップＡ９）。
【０１０８】
アプリケーション端末装置５内の判定手段５３は、ユーザ端末装置４から送られてきた解答が、正解記憶部５６に格納されている正解と一致するか否かを調べ、一致する場合は、検出結果記憶部５５に格納されている入力操作内容によって示される入力操作が有効であると判定し、アプリケーション端末装置５に上記入力操作に従った処理を実行させる（ステップＡ１０）。
【０１０９】
〔第２の実施の形態の効果〕
本実施の形態によれば、操作者が惰性や不注意により誤って確認入力を入力してしまう危険性を極めて少なくすることができる。その理由は、入力部４３で行われた入力操作を有効にするための確認入力において入力すべきデータを答えとする問題を、出力部４４に出力する問題出力手段６２と、入力部４３から確認入力として上記問題の正解が入力された場合、上記入力操作が有効であると判定する判定手段５３とを備えているからである。
【０１１０】
更に、本実施の形態では、出力する問題の難易度を、操作者が行った入力操作の重要度に応じたものにしているので、操作者に自身が行った入力操作の重要度を把握させることが可能になる。
〔発明の第３の実施の形態〕
次に、本発明にかかる誤操作予防システムの第３の実施の形態について説明する。
【０１１１】
図１４は本実施の形態の構成例を示すブロック図であり、図１２に示した第２の実施の形態との相違点は、アプリケーション端末装置５及び問題出力端末装置６の代わりにそれぞれアプリケーション端末装置５ａ及び問題出力端末装置６ａを備えている点である。なお、アプリケーション端末装置５ａ及び問題出力端末装置６ａもプログラムにより動作が制御されるコンピュータによって実現することができる。
【０１１２】
アプリケーション端末装置５ａは、入力操作検出手段５２、判定手段５３及び記憶装置５４の代わりにそれぞれ入力操作検出手段５２ａ、判定手段５３ａ及び記憶装置５４ａを備えている点が、図１２に示したアプリケーション端末装置５と相違している。
【０１１３】
記憶装置５４ａは、表示時刻記憶部５７及び解答時間記憶部５８が追加されている点が図１２に示した記憶装置５４と相違している。なお、解答時間記憶部５８には、図９に示した解答時間記憶部１４４と同様に、入力操作の重要度毎に、その重要度に対して予め定められている標準解答時間と、その重要度の問題に対する前回の解答時間と、前回の解答時間と標準解答時間との差分時間とが登録されている。なお、初期状態においては、各重要度の差分時間は「０」に設定されている。
【０１１４】
入力操作検出手段５２ａは、図１２の入力操作検出手段５２が備えている機能に加え、確認ウィンドウ７１をユーザ端末装置４へ送信した時刻と、検出結果記憶部５５に格納した入力操作内容によって示される入力操作の重要度とを表示時刻記憶部５７に格納する機能を有している。
【０１１５】
判定手段５３ａは、ユーザ端末装置４から解答が送られてきたときの時刻（応答時刻）を図示を省略した時計から取得する機能と、上記解答と正解記憶部５６に格納されている正解とが一致する場合、検出結果記憶部５５に格納されている入力操作内容によって示される入力操作を有効にすると共に、解答時間記憶部５８に格納されている各重要度毎の前回の解答時間及び差分時間の内の、表示時刻記憶部５７に格納されている重要度に対応する解答時間及び差分時間を更新する機能を有する。
【０１１６】
〔第３の実施の形態の動作の説明〕
次に、本実施の形態の動作について説明する。
【０１１７】
ユーザ端末装置４がアプリケーション端末装置５ａにアクセスし、入力操作内容をアプリケーション端末装置５ａへ送信するまでの動作（図１５のステップＢ１〜Ｂ４）は、前述した第２の実施の形態のステップＡ１〜Ａ４と同様である。
【０１１８】
アプリケーション端末装置５ａ内の入力操作検出手段５２ａは、ユーザ端末装置４から入力操作内容が送られてくると、それを検出結果記憶部５５に格納する。その後、上記入力操作内容によって示される入力操作が、操作者の確認入力を必要とするものであるか否かを調べ、確認入力を必要としないものである場合は、アプリケーション端末装置５ａに上記入力操作に従った処理を実行させる。これに対して、確認入力を必要とするものである場合は、上記入力操作の重要度を判定し、更に、この重要度に対応付けて解答時間記憶部５８に格納されている標準解答時間と前回の解答時間との差分時間ΔＴ（＝解答時間−標準解答時間）を算出する。その後、上記重要度と差分時間ΔＴとを含む問題作成依頼を問題出力端末装置６ａへ送信する（ステップＢ５）。
【０１１９】
問題出力端末装置６ａ内の問題出力手段６２ａは、アプリケーション端末装置５ａから問題作成依頼が送られてくると、それに含まれている重要度及び差分時間ΔＴに応じた難易度を有する問題を作成し、作成した問題と正解をアプリケーション端末装置５ａに送信する（ステップＢ６）。なお、重要度及び差分時間ΔＴに応じた難易度の問題は、前述した第１の実施の形態の第２の実施例と同様の方法で作成することができる。
【０１２０】
アプリケーション端末装置５ａ内の入力操作検出手段５２ａは、問題出力端末装置６ａから問題及びその正解が送られてくると、その問題を含んだ図７に示すような確認ウィンドウ７１をユーザ端末装置４へ送信すると共に、正解を正解記憶部５６に格納する（ステップＢ７）。更に、表示時刻記憶部５７に確認ウィンドウ７１を送信した時刻（表示時刻）と、入力操作の重要度を格納する（ステップＢ８）。
【０１２１】
ユーザ端末装置４内の処理手段４１は、アプリケーション端末装置５ａから送られてきた確認ウィンドウ７１を表示部４４に表示する（ステップＢ９）。ユーザ端末装置４の操作者は、確認ウィンドウ７１上の確認メッセージ７２を読み、問題に対する解答を入力し、処理手段４２は、入力された解答をアプリケーション端末装置５ａへ送信する（ステップＢ１０）。
【０１２２】
アプリケーション端末装置５ａ内の判定手段５３ａは、ユーザ端末装置４から解答が送られてくると、そのときの時刻（応答時刻）を時計から取得する。更に、判定手段５３ａは、ユーザ端末装置４から送られてきた解答が正解である場合は、検出結果記憶部５５に格納されている入力操作内容によって示される入力操作が有効であると判定し、アプリケーション端末装置５ａに上記入力操作に従った処理を実行させる（ステップＢ１１）。
【０１２３】
その後、判定手段５３ａは、応答時刻と表示時刻記憶部５７に格納されている表示時刻とに基づいて、操作者が正解を入力するまでに要した解答時間を算出すると共に、算出した解答時間と該当する重要度の標準解答時間との差分時間ΔＴを算出し、解答時間記憶部５８に格納されている、該当する重要度の前回の解答時間及び差分時間を上記算出した解答時間及び差分時間ΔＴに更新する（ステップＢ１２、Ｂ１３）。
【０１２４】
なお、前述した各実施の形態、実施例では、操作者に解かせる問題を表示部に表示するようにしたが、音声出力部を用いて音声により問題を出力するようにしても良い。
【０１２５】
〔第３の実施の形態の効果〕
本実施の形態によれば、操作者に過度の負担をかけることなく、操作者に自身が行った入力操作の重要度がどの程度なのかを認識させることが可能になる。その理由は、入力操作の重要度と、前回上記入力操作と同じ重要度の入力操作が行われたときに表示部４４に出力した問題に対する解答時間とに応じた難易度の問題を出力する問題出力手段６２ａを備えているからである。
【産業上の利用可能性】
【０１２６】
本発明は、重要な入力操作（承認等）が必要なすべてのアプリケーションプログラムやＷｅｂサービスに対して適用できる。また、パーソナルコンピュータのみならず、使用量が大幅に増加している携帯電話機等の移動通信機器を介しての応用も可能である。
【図面の簡単な説明】
【０１２７】
【図１】本発明にかかる誤操作予防システムの第１の実施の形態の構成例を示すブロック図である。
【図２】入力操作検出手段１１の処理例を示すフローチャートである。
【図３】問題出力手段１２の処理例を示すフローチャートである。
【図４】判定手段１３の処理例を示すフローチャートである。
【図５】第１の実施の形態の第１の実施例の構成例を示すブロック図である。
【図６】問題出力手段１２ａの処理例を示すフローチャートである。
【図７】確認ウィンドウ７１の一例を示す図である。
【図８】第１の実施の形態の第２の実施例の構成例を示すブロック図である。
【図９】解答時間記憶部１４４の一例を示す図である。
【図１０】問題出力手段１２ｂの処理例を示すフローチャートである。
【図１１】判定手段１３ｂの処理例を示すフローチャートである。
【図１２】本発明にかかる誤操作予防システムの第２の実施の形態の構成例を示すブロック図である。
【図１３】第２の実施の形態の処理例を示すフローチャートである。
【図１４】本発明にかかる誤操作予防システムの第３の実施の形態の構成例を示すブロック図である。
【図１５】第３の実施の形態の処理例を示すフローチャートである。
【図１６】従来の技術を説明するための図である。
【符号の説明】
【０１２８】
１、１ａ、１ｂ…端末装置
１１…入力操作検出手段
１２、１２ａ、１２ｂ…問題出力手段
１２１…確認入力要否判定手段
１２２…重要度判定手段
１２３、１２３ｂ…計算問題作成手段
１２４、１２４ｂ…確認ウィンドウ表示手段
１３、１３ｂ…判定手段
１３１…解答確認手段
１３２…解答時間更新手段
１４、１４ｂ…記憶装置
１４１…検出結果記憶部
１４２…正解記憶部
１４３…表示時刻記憶部
１４４…解答時間記憶部
２…入力部
３…表示部
４…ユーザ端末装置
４１…処理手段
４２…送受信手段
４３…入力部
４４…表示部
５、５ａ…アプリケーション端末装置
５１…送受信手段
５２、５２ａ…入力操作検出手段
５３、５３ａ…判定手段
５４、５４ａ…記憶装置
５５…検出結果記憶部
５６…正解記憶部
５７…表示時刻記憶部
５８…解答時間記憶部
６、６ａ…問題出力端末装置
６１…送受信手段
６２、６２ａ…問題出力手段
ＮＷ…ネットワーク
【図１】
2008152515.tif 000003
【図２】
2008152515.tif 000004
【図３】
2008152515.tif 000005
【図４】
2008152515.tif 000006
【図５】
2008152515.tif 000007
【図６】
2008152515.tif 000008
【図７】
2008152515.tif 000009
【図８】
2008152515.tif 000010
【図９】
2008152515.tif 000011
【図１０】
2008152515.tif 000012
【図１１】
2008152515.tif 000013
【図１２】
2008152515.tif 000014
【図１３】
2008152515.tif 000015
【図１４】
2008152515.tif 000016
【図１５】
2008152515.tif 000017
【図１６】
2008152515.tif 000018